(57)【要約】【課題】必要なときにオプションとしてキャビネットの背面側にコード類を配線、収容する構造を設けることができ、その組立ても簡単であり、しかも安価に構成できるキャビネットの配線装置を提供する。【解決手段】キャビネット１の背板６上部に、少なくとも上方及び両側方の全部又は一部が開放した配線ボックス２を着脱可能に取付けるとともに、該配線ボックスの上面に上カバー３を着脱可能に嵌着し、更に前記配線ボックスの両側端に側カバー４を着脱可能となすとともに、背面に背カバー５を着脱可能となした。【選択図】        図２
2004174106.tif 000002
【特許請求の範囲】
【請求項１】
キャビネットの背板上部に、少なくとも上方及び両側方の全部又は一部が開放した配線ボックスを着脱可能に取付けるとともに、該配線ボックスの上面に上カバーを着脱可能に嵌着し、更に前記配線ボックスの両側端に側カバーを着脱可能となすとともに、背面に背カバーを着脱可能となしたことを特徴とするキャビネットの配線装置。
【請求項２】
単又は複数個の前記キャビネットを壁面又は間仕切パネルに沿って隣接設置し、端に位置する前記キャビネットの前記配線ボックスの外側端部に前記側カバーを取付け、又は該配線ボックスの背面に背カバーを取付け、又は該配線ボックスの外側端部に前記側カバーを取付けるとともに、背面に背カバーを取付けてなる請求項１記載のキャビネットの配線装置。
【請求項３】
前記配線ボックスの両端部に側方へ開放した側部開口を設けるとともに、該側部開口内の上下中間部両側に設けた突片に、前記側カバーの上部に突設した係止片を着脱可能に係止した状態で、前記配線ボックスの端部と側カバーの間に側部開口から下方に連通するコード挿通開口を形成してなる請求項１又は２記載のキャビネットの配線装置。
【請求項４】
前記背カバーの上部を前記配線ボックスの背面に係止した状態で、該背カバーの下部内面側に突設した受金具を、前記キャビネットの背板に当止し又は着脱可能に係着してなる請求項１〜３何れか１項に記載のキャビネットの配線装置。
【請求項５】
前記キャビネットの背板の下部側方に支持金具を着脱可能に取付け、前記側カバーの上部を前記配線ボックスの端部を係止した状態で、該側カバーの下部を前記支持金具に係止してなる請求項１〜４何れか１項に記載のキャビネットの配線装置。
【発明の詳細な説明】
【０００１】
【発明の属する技術分野】
本発明は、キャビネットの配線装置に係わり、更に詳しくはキャビネットの背面側にコード類を配線、収容する構造を設けたキャビネットの配線装置に関するものである。
【０００２】
【従来の技術】
従来、キャビネットは、書類やファイルを収容するためのものであるので、電子、電機機器を収容したり、天板上に載置して使用することは想定してなく、従ってコード類を配線するための構造は全く備えてなかった。
【０００３】
そこで、本願出願人は、背面側にコード類を配線、収容する構造を設けたキャビネットを提案した（特許文献１、特許文献２参照）。即ち、特許文献１には、キャビネットの背面の上端部に設けた支持ブラケットに対して、補助天板を着脱可能または回動可能に配置し、該補助天板と、前記キャビネットの天面とを同一平面状となす一方、前記キャビネットの背面の側部にブラケットを介して側カバー板を着脱可能に装着し、補助天板と側カバー板とで囲まれるキャビネットの背面部位を配線空間に構成したキャビネットにおける配線構造が開示されている。また、特許文献２には、キャビネット等の家具の本体ケースの背面に、４周側にわたって配線通路が連通するように形成された枠状の配線ダクト体を連結し、該配線ダクト体の裏面をパネル装置にて覆うように連結し、更に配線ダクト体の左右両側面及び上面を、それぞれ着脱自在なカバー板にて覆い、各カバー板の表面と、前記家具の本体ケースにおける側面及び天面とが略面一状となるように構成した家具における配線構造が開示されている。
【０００４】
しかし、特許文献１のものは、壁面や間仕切パネルに背面側を密接させて配置する使用形態を前提としているため、背面側に背カバーが存在せず、従って島置き態様に配置すると背面が露出するので事実上使用することは不可能である。また、特許文献２のものは、周囲に外側へ開放した凹溝からなるダクト部を有する四角フレーム状のダクト本体を、キャビネット等の家具の背面に取付け、そのダクト部を着脱可能な上面カバーや縦カバーで家具の本体ケースにおける側面及び天面とが略面一状となるように覆う構造であるため、家具の正面形状と略同じ大きさのダクト本体が必要となり、寸法が大きくなり、重量も重くなるので、扱い難く、部品コストも上昇するといった不都合がある。
【０００５】
【特許文献１】特開２００１−２９２８４８公報
【０００６】
【特許文献２】特開２００１−３２７３４９公報
【０００７】
【発明が解決しようとする課題】
本発明が前述の状況に鑑み、解決しようとするところは、必要なときにオプションとしてキャビネットの背面側にコード類を配線、収容する構造を設けることができ、その組立ても簡単であり、しかも安価に構成できるキャビネットの配線装置を提供する点にある。
【０００８】
【課題を解決するための手段】
本発明は、前述の課題解決のために、キャビネットの背板上部に、少なくとも上方及び両側方の全部又は一部が開放した配線ボックスを着脱可能に取付けるとともに、該配線ボックスの上面に上カバーを着脱可能に嵌着し、更に前記配線ボックスの両側端に側カバーを着脱可能となすとともに、背面に背カバーを着脱可能となしたキャビネットの配線装置を構成した。
【０００９】
ここで、単又は複数個の前記キャビネットを壁面又は間仕切パネルに沿って隣接設置し、端に位置する前記キャビネットの前記配線ボックスの外側端部に前記側カバーを取付け、又は該配線ボックスの背面に背カバーを取付け、又は該配線ボックスの外側端部に前記側カバーを取付けるとともに、背面に背カバーを取付けてなるのである。
【００１０】
また、前記配線ボックスの両端部に側方へ開放した側部開口を設けるとともに、該側部開口内の上下中間部両側に設けた突片に、前記側カバーの上部に突設した係止片を着脱可能に係止した状態で、前記配線ボックスの端部と側カバーの間に側部開口から下方に連通するコード挿通開口を形成してなることが好ましい。
【００１１】
更に、前記背カバーの上部を前記配線ボックスの背面に係止した状態で、該背カバーの下部内面側に突設した受金具を、前記キャビネットの背板に当止し又は着脱可能に係着してなることも好ましい。
【００１２】
そして、前記キャビネットの背板の下部側方に支持金具を着脱可能に取付け、前記側カバーの上部を前記配線ボックスの端部を係止した状態で、該側カバーの下部を前記支持金具に係止してなることがより好ましい。
【００１３】
【発明の実施の形態】
次に本発明の実施の形態を添付図面に基づき更に詳細に説明する。図１〜図４は本発明のキャビネットの配線装置の代表的実施形態を示し、図中符号１はキャビネット、２は配線ボックス、３は上カバー、４は側カバー、５は背カバーをそれぞれ示している。
【００１４】
本発明に係るキャビネットの配線装置は、キャビネット１の背板６上部に、少なくとも上方及び両側方の全部又は一部が開放した配線ボックス２を着脱可能に取付けるとともに、該配線ボックス２の上面に上カバー３を着脱可能に嵌着し、更に前記配線ボックス２の両側端に側カバー４，４を着脱可能となすとともに、背面に背カバー５を着脱可能となしたものである。
【００１５】
ここで、本発明に係るキャビネットの配線装置は、単又は複数個の前記キャビネットを壁面又は間仕切パネルに沿って隣接設置する使用形態が基本であるが、室内の中間部に島置き態様に配置して使用することも可能である。１個のキャビネット１を壁面又は間仕切パネルに沿って隣接設置し、あるいは島置き態様に配置した場合、前記配線ボックス２の両端部に側カバー４，４を取付けるとともに、背面に背カバー５を取付けて使用する。この場合、勿論、配線ボックス２の上面には上カバー３を嵌着して用いる。また、複数個のキャビネット１，…を壁面又は間仕切パネルに沿って隣接設置した場合、端に位置する前記キャビネット１の前記配線ボックス２の外側端部に前記側カバー４を取付け、又は該配線ボックス２の背面に背カバー５を取付け、又は該配線ボックス２の外側端部に前記側カバー４を取付けるとともに、背面に背カバー５を取付けて使用する。
【００１６】
更に詳しく図１〜図４に基づき各部を説明する。前記キャビネット１は、本体部７に前面側に引き出し可能な引出し８，…を多段に設けたものを例示したが、オープン棚タイプのもの、あるいは棚の前面に開閉可能な扉を設けたもの等どのようなタイプのもので良い。前記キャビネット１は、スチール製の本体部７の上面に木質系あるいはスチール製の天板９を設けた構造であり、前記本体部７の背板６の上部に前記配線ボックス２を着脱可能にネジ止めして取付ける。それには、前記配線ボックス２にナット部材を固着しておき、前記本体部７の背板６に設けた取付孔に本体部７の内部からネジを通し、それをナット部材に螺合して取付けるようにすれば良い。
【００１７】
前記配線ボックス２は、スチール板を断面略コ字形に折曲し、上方及び両側方に開放したチャンネル状の溝部材１０の溝内両端部に、端部部材１１を固着した構造を有している。前記溝部材１０は、下板１２の前後両縁に前板１３と後板１４を立設し、該前板１３と後板１４の上縁を互に接近する方向に折曲して縁片１５，１５を形成し、前記下板１２の中央部には下部開口１６を形成している。また、前記溝部材１０の前板１３には、前述のナット部材１７，…を固着するとともに、前記後板１４の両側部には後述の背カバー５を着脱可能に係止するためのダルマ孔１８，１８を形成している。更に、前記溝部材１０の後板１４の上部から縁片１５にわたって切欠部１９を複数箇所に形成している。また、前記端部部材１１は、側面視略Ｕ字形の部材であり、外周部に前記溝部材１０に固着する縦固定片２０，２０と下固定片２１を折曲形成し、前記溝部材１０の下板１２の端縁に形成した切欠部２２を包み込むように該下固定片２１を下板１２の下面に固着するとともに、両縦固定片２０，２０を前記前板１３と後板１４の内面端部に固着している。ここで、前記端部部材１１には側部開口２３が形成され、該側部開口２３内の上下中間部両側に突片２４，２４を設けている。
【００１８】
前記上カバー３は、前記配線ボックス２の前後寸法と略同じ幅で、前記キャビネット１の天板９の横幅と略同じ長さを有する長尺板部材で、下面前後縁に前記配線ボックス２の縁片１５，１５間に嵌入する脚片２５，２５を突設するとともに、中央部に開閉可能な蓋体を有し、コード類を上下に挿通し得るコード挿通口２６を設けている。この上カバー３を前記配線ボックス２の上面に嵌着した状態では、該上カバー３の上面と天板９の上面は面一となるようにしている。ここで、前記上カバー３を前記配線ボックス２に嵌着した状態でも、脚片２５によって前記配線ボックス２の後板１４に形成した切欠部１９は塞がれず、該配線ボックス２の内部から該切欠部１９を通して後方へコード類を引き出すことが可能である。
【００１９】
前記側カバー４は、化粧板２７の少なくとも上縁と両側縁を内方側へ折曲して補強縁２８を形成した構造で、横幅は前記上カバー３の奥行幅と略一致させている。そして、前記側カバー４の上部の化粧板２７内側には、前記側部開口２３内の上下中間部両側に設けた突片２４，２４に着脱可能に係止する下向きフック状の係止片２９を突設している。ここで、前記係止片２９を突片２４，２４に係止した状態で、前記配線ボックス２の端部と側カバー４の間に側部開口２３から下方に連通するコード挿通開口３０が形成される。このコード挿通開口３０は、前記配線ボックス２の下板１２端縁の切欠部２２と前記側カバー４の補強縁２８に由来する内部空間部によって形成され、本実施形態では約２０ｍｍの隙間が確保されている。
【００２０】
従って、前記配線ボックス２の端部に側カバー４を装着した状態でも、コード類を該配線ボックス２の内部から側部開口２３を通し、コード挿通開口３０を通して下方へ配線することが可能である。この場合、コード類を保護するために、前記側部開口２３を形成する前記端部部材１１の内縁部分にパッキン３１を被せておくことが望ましい。
【００２１】
また、前記背カバー５は、前記キャビネット１の天板９の横幅と略同じ横幅を有する扁平板体であり、内面側の上部に前記配線ボックス２に設けたダルマ孔１８，１８に係止するための係止ピン３２，３２を突設している。尚、前記係止ピン３２とダルマ孔１８による係止構造の他に、前記切欠部１９に下向きフック状の係止片を係止する構造としても良い。更に、前記背カバー５の上部を前記配線ボックス２の背面に係止した状態で、該背カバー５の下部内面側に突設した受金具３３を、前記キャビネット１の背板６に当止し又は着脱可能に係着してなることも好ましい。ここで、前記受金具３３は、余剰のコード類を受ける機能も有しており、チャンネル状の形状とし、両側２箇所に前記背板６に当止する当止片３４，３４を形成し、該当止片３４，３４を面ファスナー３５，３５等の適宜な係着手段によって係脱可能となしている。
【００２２】
また、前記側カバー４は、上部の係止片２９を配線ボックス２の突片２４，２４に係止した状態でも一応の保持はできるが、更に安定に保持するために、前記キャビネット１の背板６の下部側方に支持金具３６を着脱可能に取付け、前記側カバー４の上部の係止片２９を前記配線ボックス２の突片２４，２４に係止するとともに、該側カバー４の下部に突設した係止片３７を前記支持金具３６に係止するようにしている。ここで、前記係止片３７は、前記係止片２９と同様なものであり、前記支持金具３６の立ち上がった係止縁３８に係止できる構造である。また、前記支持金具３６を背板６に着脱可能に取付ける構造としては、前記同様に面ファスナー３９等の係着手段を利用したり、ネジ止めの取付手段を利用したりすることが可能である。
【００２３】
また、前記背カバー５の受金具３３に形成した当止片３４，３４を、キャビネット１の背板６に面ファスナー３５で係着する代わりに、図５に示すように、該当止片３４，３４が背板６に直接当止すると同時に、受金具３３に延設するかあるいは背カバー５に別途設けたフック片４０，４０を前記支持金具３６に形成した係合縁４１にそれぞれ係止するようにしても良い。
【００２４】
本発明に係る配線装置付きのキャビネット１，…を複数個側方に並べて配置した場合、中間に位置する側カバー４は背カバー５，…で隠れるので設ける必要は特にない。その場合、側カバー４を支持するための前記支持金具３６も省略することが可能である。更に、これらのキャビネット１，…を壁面や間仕切パネルに近接して配置した場合には、前記背カバー５，…も省略することができる。また、図３に示すように、前記側カバー４と背カバー５の下端と床面Ｆとの間には隙間が形成されているので、この隙間を利用してコード類を床面Ｆに沿って側方又は後方へ配線することが可能である。勿論、隣接する前記配線ボックス２，２は、側カバー４を設けてないので、側部開口２３，２３を通して連通しているので、複数個のキャビネット１，…を跨ってコード類を配線することができる。そして、前記キャビネット１の天板９に載置した電子、電機機器へ、前記上カバー３のコード挿通口２６を通してコード類を接続することが可能である。
【００２５】
また、図６に示すように、前記配線ボックス２は、コード類Ｃを単に溝内に配線するのみならず、余剰コード類Ｃを前記両側部開口２３と切欠部２２を利用して巻き付けて処理し、その後、配線ボックス２に上カバー３や側カバー４を装着することが可能である。この余剰コードの処理方法は、特にＬＡＮケーブルのように長いケーブルを扱う場合に有効である。
【００２６】
また、図７及び図８に示すように、本発明に係る配線装置付きのキャビネット１，１を背面合わせで配置することも可能である。この場合、前記背カバー５は使用せず、直接前記配線ボックス２，２の後板１４，１４を接合した状態に配置する。ここで、互いのキャビネット１，１の位置ずれが生じないように、配線ボックス２，２同士を連結することも好ましい。それには、前記配線ボックス２の後板１４に設けた背カバー５を係止するためのダルマ孔１８，１８が同じ位置に重なるので、この重なったダルマ孔１８，１８に、両端に頭部を有する連結具４２を係合することにより簡単に連結することができる。この連結状態では、前記配線ボックス２，２の後板１４，１４に形成した切欠部１９，１９も重なるので、各配線ボックス２に上カバー３を嵌着した状態でも該切欠部１９，１９を通して両配線ボックス２，２にわたってコード類を配線することが可能である。
【００２７】
尚、前記配線ボックス２、上カバー３、側カバー４、背カバー５等をキャビネットのオプションとして用意し、必要な時に追加して配線装置を組立てることができ、必要がない時には全く通常のキャビネットとして使用することができるのでる。また、本発明の配線装置は、キャビネット１の側面に設けることも可能である。
【００２８】
【発明の効果】
以上にしてなる請求項１又は２に係る発明のキャビネットの配線装置は、キャビネットの背板上部に、少なくとも上方及び両側方の全部又は一部が開放した配線ボックスを着脱可能に取付けるとともに、該配線ボックスの上面に上カバーを着脱可能に嵌着し、更に前記配線ボックスの両側端に側カバーを着脱可能となすとともに、背面に背カバーを着脱可能となしたので、必要なときにキャビネットの背面側に配線ボックスを取付け、該配線ボックスに上カバー、側カバー及び背カバーを次々に取付けるだけで、コード類を配線、収容する配線装置をキャビネットに設けることができ、その組立ても簡単であり、しかも安価に構成できる。
【００２９】
請求項３によれば、配線ボックスの端部に側カバーを装着した状態でも、配線ボックスの側部開口を通し、配線ボックスと側カバーの間に形成されたコード挿通開口から下方にコード類を配線することができ、また長尺のコード類を配線ボックスの両端部に巻き付けて余剰コードの処理ができる。
【００３０】
請求項４によれば、背カバーの下部内面側に突設した受金具がキャビネットの背板に当止し又は着脱可能に係着するので、背カバーを安定して取付けることができるとともに、上方の配線ボックスから下方へ配線したコード類を受金具で受けることができ、余剰コードの処理等に利用できるのである。
【００３１】
請求項５によれば、側カバーの下部を支持金具に係止することにより、側カバーを安定して取付けることができ、また不要な場合には支持金具を背板から外すことができ、コスト削減に寄与する。
【図面の簡単な説明】
【図１】本発明に係るキャビネットの配線装置の代表的実施形態を示す斜視図である。
【図２】同じく分解斜視図である。
【図３】同じく要部の縦断側面図である。
【図４】同じく要部の縦断背面図である。
【図５】背カバーの下部支持構造の他の実施形態を示す分解斜視図である。
【図６】配線ボックスの両端部に余剰コード類を巻き付けて処理をした状態の斜視図である。
【図７】配線装置付きのキャビネットを背面合わせで配置する場合に、配線ボックス同士を連結する構造を示す分解斜視図である。
【図８】同じく配線ボックス同士を連結した状態の要部の縦断側面図である。
【符号の説明】
１  キャビネット      ２  配線ボックス
３  上カバー          ４  側カバー
５  背カバー          ６  背板
７  本体部            ８  引出し
９  天板              １０  溝部材
１１  端部部材        １２  下板
１３  前板            １４  後板
１５  縁片            １６  下部開口
１７  ナット部材      １８  ダルマ孔
１９  切欠部          ２０  縦固定片
２１  下固定片        ２２  切欠部
２３  側部開口        ２４  突片
２５  脚片            ２６  コード挿通口
２７  化粧板          ２８  補強縁
２９  係止片          ３０  コード挿通開口
３１  パッキン        ３２  係止ピン
３３  受金具          ３４  当止片
３５  面ファスナー    ３６  支持金具
３７  係止片          ３８  係止縁
３９  面ファスナー    ４０  フック片
４１  係合縁          ４２  連結具
Ｃ  コード類          Ｆ  床面
【図１】
2004174106.tif 000003
【図２】
2004174106.tif 000004
【図３】
2004174106.tif 000005
【図４】
2004174106.tif 000006
【図５】
2004174106.tif 000007
【図６】
2004174106.tif 000008
【図７】
2004174106.tif 000009
【図８】
2004174106.tif 000010